(57)【要約】      （修正有）【課題】  安全でセットが楽である。【解決手段】（イ）  本体（１）の前方に左右の突出部（２）を設けて、軸穴（４）を設け、その左右の突出部（２）の間にストッパー（３）を設ける。（ロ）  刃（６）を設け、支点穴（８）を設け、その支点穴（８）から下方に垂れ下がった下垂部（Ａ）を設けたカット部（５）が左右の突出部（２）の間に設けられる。（ハ）  本体（１）の後部に山形になった隆起部（ウ）にネジ穴（Ｄ）を設けた振り子軸（１１）を設け、振り子止め（１３）と（１３ａ）を設ける。（ニ）  山形になった隆起部（ウ）に設けた振り子軸（１１）に振り子（１２）に設けた振り子軸穴（Ｂ）を設ける。【選択図】  図１
2006123155.tif 000002
【特許請求の範囲】
【請求項１】
（イ）  本体（１）の前方に左右の突出部（２）を設けて、軸穴（４）を設け、その左右の突出部（２）の間にストッパー（３）を設ける。（ロ）  刃（６）を設け、支点穴（８）を設け、その支点穴（８）から下方に垂れ下がった下睡部（Ａ）を設けたカット部（５）が左右の突出部（２）の間に設けられる。（ハ）  本体（１）の後部に山形になった隆起部（ウ）にネジ穴（Ｄ）を設けた振り子軸（１１）を設け、振り子止め（１３）と（１３ａ）を設ける。（ニ）  山形になった隆起部（ウ）に設けた振り子軸（１１）に振り子（１２）に設けた振り子軸穴（Ｂ）を設ける。
【発明の詳細な説明】
【技術分野】
【０００１】  本発明は刃（６）を設けたカット部（５）が支点穴（８）を設けて、その支点穴（８）に支点軸（７）を通して、支点として反転することで刃（６）がテープカッターの本体（１）の内側に向くことを特徴とし、山形になった隆起部（ウ）の振り子軸（１１）に振り子（１２）の振り子軸穴（Ｂ）を設け、それを支点とし、振り子（１２）が振り子運動をすることを特徴とする振り子式テープカッター安全装置機構に関するものである。
【背景技術】
【０００２】  従来の卓上用テープカッターは図１１に示すように、テープ（ア）をカットする刃（６）が常に上向きに突出した状態のものであった。
【発明の開示】
【発明が解決しょうとする課題】
【０００３】  次のような問題点があった。  従来の卓上用テープカッターは図１１に示すように、テープ（ア）をカットする刃（６）が常に上向きに突出した状態のものであったため、使用時に手が刃（６）に触れてケガをすることが多大であった。  また、テープ（ア）をテープローラー（９）にはめ込んで本体（１）内にセットする手間が、かかった。
【課題を解決するための手段】
【０００４】（イ）  本体（１）の前方に左右の突出部（２）を設けて、軸穴（４）を設け、その左右の突出部（２）の間にストッパー（３）を設ける。（ロ）  刃（６）を設け、支点穴（８）を設け、その支点穴（８）から下方に垂れ下がった下睡部（Ａ）を設けたカット部（５）が左右の突出部（２）の間に設けられる。（ハ）  本体（１）の後部に山形になった隆起部（ウ）にネジ穴（Ｄ）を設けた振り子軸（１１）を設け、振り子止め（１３）と（１３ａ）を設ける。（ニ）  山形になった隆起部（ウ）に設けた振り子軸（１１）に振り子（１２）に設けた振り子軸穴（Ｂ）を設ける。
【発明の効果】
【０００５】  テープ（ア）のカット時のみ、刃（６）が直立してテープ（ア）をカット出来て、カット後ただちにテープ（ア）を設けた振り子（１２）が滑らかに振り子の作用をして、刃（６）が反転して突出しないため、刃（６）による手のケガがなく安全に使用が出来る。  また、テープ（ア）をテープローラー（９）に横からはめ込むだけでテープ（ア）をセットが出来て楽である。
【発明を実施するための最良の形態】
【０００６】以下、本発明の実施の形態について説明する。（イ）  本体（１）の前方に左右の突出部（２）を設けて、軸穴（４）を設け、その左右の突出部（２）の間にストッパー（３）を設ける。（ロ）  刃（６）を設け、支点穴（８）を設け、その支点穴（８）から下方に垂れ下がった下睡部（Ａ）を設けたカット部（５）が左右の突出部（２）の間に設けられる。（ハ）  本体（１）の後部に山形になった隆起部（ウ）にネジ穴（Ｄ）を設けた振り子軸（１１）を設け、振り子止め（１３）と（１３ａ）を設ける。（ニ）  山形になった隆起部（ウ）に設けた振り子軸（１１）に振り子（１２）に設けた振り子軸穴（Ｂ）をさし込んで設ける。  本発明は図１の如く、本体（１）の前方が上に伸びた左右の突出部（２）の間に、刃（６）を設けたカット部（５）の支点穴（８）に支点軸（７）を通して設けたものである。  また、図９に示すように、刃（６）を設けたカット部（５）の支点穴（８）に支点軸（７）が通され、支点穴（８）から下方に垂れ下がった下垂部（Ａ）が引力により、（Ｅ）方向に引っぱられて立ち上がり、下垂部（Ａ）がストッパー（３）に接して止まり、安定した状態でカット部（５）に設けられた刃（６）が直立した状態となる。  この状態が図２、図３、図４、図５、図６、図９である。  また、図８に示すように、支点穴（８）に通された支点軸（７）が支点として（Ｆ）方向に反転すると、刃（６）を設けたカット部（５）が本体（１）の内側方向に向き、刃（６）が突出しない。  この状態の実施例の図が図７、図８、図１０である。  そして、図１の如くテープローラー（９）のローラー軸穴（エ）をローラー軸（１０）にさし込んでローラー軸（１０）を、かしめて設けた振り子（１２）の振り子軸穴（Ｂ）に、山形になった隆起部（ウ）に設けたネジ穴（Ｄ）を設けた振り子軸（１１）に、さし込んでネジなどの止め具（１４）で止めて組立てられる。  その時、図３のように、振り子（１２）は垂直になり、左右の振り子止め（１３）、（１３ａ）の間に位置して、後部の振り子止め（１３ａ）に接して止まっている。  以上の如く構成した本発明を使用するときは、テープ（ア）をテープローラー（９）に横からはめ込んで、楽にセットすることが出来る。  その状態が図２である。  そして図４に示すように、テープ（ア）のつまみしろ（イ）をつまんで引っぱると、テープ（ア）を取り付けたテープローラー（９）と共に、山形になった隆起部（ウ）に設けた振り子（１２）が振り子軸（１１）を支点として前方（カ）に移動して、振り子止め（１３）に接して止まり、テープ（ア）が引き出され、図５の如く、刃（６）に押しあてると、この時、カット部（５）に設けた刃（６）は直立した状態であるため、図６の如くテープ（アａ）をカットすることが出来る。  その時、テープ（アａ）がカットされると同時に、図７の如く、振り子（１２）が後方（オ）に移動して振り子止め（１３ａ）に接して止まると同時に、テープ（ア）が本体（１）の内側方向、すなわち、後方（オ）に引っぱられて図８に示すようにテープ（アａ）の粘着面（Ｇ）がカット部（５）の頂点（Ｃ）と刃（６）にくっついた状態であるため、刃（６）を設けたカット部（５）が（Ｆ）方向に反転して本体（１）の内側に向くため、刃（６）が上向きに突き出さないため、手を刃（６）に触れることがなく、ケガをしないため安全である。  なお再び、テープ（ア）を使用する時は、図４の如く、つまみしろ（イ）をつまみ上げると、図８の如くカット部（５）の頂点（Ｃ）と刃（６）にくっついたテープ（アａ）の粘着面（Ｇ）が離れ、図９の如く、刃（６）を設けたカット部（５）の支点軸（７）を支点として下垂部（Ａ）が引力により、（Ｅ）方向に引っぱられて立ち上がり、Ｆ垂部（Ａ）がストッパー（３）に接して立ち上がり、安定した状態でカット部（５）に設けられた刃（６）が直立した状態となるため、再び図４、図５の如く、テープ（ア）のつまみしろ（イ）をつまんでテープ（ア）を刃（６）に押しあてると、図６のようにテープ（アａ）をカットすることが出来る。  そして、再び図７、図８、図１０に示すようにカット部（５）に設けられた刃（６）が本体（１）の内側方向、すなわち後方（オ）に向く。  以上のように、テープ（ア）をカットする時だけ、刃（６）が直立して、テープ（ア）をカット出来る。  カット後ただちに刃（６）が反転して突出しない状態となるため、刃（６）で手をケガしない。
【図面の簡単な説明】
【０００７】
【図１】本発明の分解斜視図
【図２】本発明の組み上がり斜視図
【図３】本発明の実施例を示す側面図
【図４】本発明の実施例を示す側面図
【図５】本発明の実施例を示す側面図
【図６】本発明の実施例を示す側面図
【図７】本発明の実施例を示す側面図
【図８】本発明の一部を断面拡大して実施例を示す部分側面図
【図９】本発明の一部を断面拡大して実施例を示す部分側面図
【図１０】本発明の実施例を示す斜視図
【図１１】従来のものを示す斜視図
【符号の説明】
【０００８】１  本体      ２  突出部      ３  ストッパー      ４  軸穴５  カット部      ６  刃      ７  支点軸      ８  支点穴９  テープローラー      １０  ローラー軸      １１  振り子軸１２  振り子      １３、１３ａ  振りこ止め      １４  止め具Ａ  下垂部      Ｂ  振り子軸穴      Ｃ  頂点      Ｄ  ネジ穴Ｅ、Ｆ  はカット部（５）の反転方向を示す矢印      Ｇ  粘着部ア  テープ      アａ  カット時のテープ      イ  つまみしろウ  隆起部      エ  ローラー軸穴      オ  後方      カ  前方
【図１】
2006123155.tif 000003
【図２】
2006123155.tif 000004
【図３】
2006123155.tif 000005
【図４】
2006123155.tif 000006
【図５】
2006123155.tif 000007
【図６】
2006123155.tif 000008
【図７】
2006123155.tif 000009
【図８】
2006123155.tif 000010
【図９】
2006123155.tif 000011
【図１０】
2006123155.tif 000012
【図１１】
2006123155.tif 000013